【誤訳訂正書】
【提出日】平成29年5月30日(2017.5.30)
【誤訳訂正１】
【訂正対象書類名】明細書
【訂正対象項目名】全文
【訂正方法】変更
【訂正の内容】
【発明の詳細な説明】
【発明の名称】多重状態電気活性眼用装置
【技術分野】
【０００１】
本発明は、複数の焦点状態を有する眼用レンズに関し、より具体的には、可変焦点挿入物を有する眼用レンズの作製に関する。更に、遮光が、本発明の概念を利用して眼用装置に組み込まれている。
【背景技術】
【０００２】
従来、コンタクトレンズ又は眼内レンズのような眼用レンズは、所定の光学品質を提供してきた。コンタクトレンズは、例えば、視力矯正機能、美容向上、及び治療効果の１つ又は複数を、しかしながら、１セットの視力矯正機能のみを提供し得る。それぞれの機能は、レンズの物理的特性によって提供される。基本的に、レンズに屈折性を組み込む設計は、視力矯正機能を提供する。レンズに組み込まれる顔料は、美容強化を提供することができる。レンズに組み込まれる活性薬剤は、治療的機能を提供することができる。
【０００３】
今日まで眼用レンズの光学品質は、レンズの物理的特性に組み込まれてきた。一般的に、光学設計が決定され、次に、例えば、鋳造成形、又は旋盤などにより、レンズの製作中にレンズに付与されてきた。レンズの光学的性質は、レンズがいったん形成されてしまえば、変化しないままであった。しかしながら、着用者らは時折、視力の調節を提供するために、着用者らが利用できる１つを超える焦点屈折力を有することが有益であるとみなすことがある。光学補正を変更するために眼鏡を変えることができる眼鏡の着用者らとは異なり、コンタクトレンズの着用者、又は眼内レンズを有するものは、かなりの労力なくしてその視力補正の光学特性を変えることができなかった。
【発明の概要】
【課題を解決するための手段】
【０００４】
したがって、本発明の一態様は、レンズの光学効果を離散的に変更できる可変視覚部分を有する眼用レンズを含む。加えて、この形態の可変視覚部分を有する眼用レンズを形成するための方法、及び装置が提供される。いくつかの実施形態はまた、可変視覚部分を含む剛性又は形成可能なエネルギー印加挿入物を有するハイドロゲルレンズをも含む場合がある。この挿入物は、様々な実施形態において、生体適性の方法で眼用レンズ内に含まれる。
【０００５】
可変焦点眼鏡装置は、前方湾曲上部光学表面と前方湾曲底部光学表面とを含む可変焦点眼用装置の前方湾曲光学部と、後方湾曲上部光学表面と後方湾曲底部光学表面とを含む可変焦点眼用装置の後方湾曲光学部とを含む。誘電性フィルムと、電界に耐え得るか又は電界を確立し得る１つ又は複数の電極とを含み得る空洞が形成され、かつ前記空洞において、前記誘電性フィルムの少なくとも一部が、前記形成された空洞と流体接続している１つ又は複数の貯留部の中に収容させることができる流体と接触している。前記流体接続は、収容される前記流体とガスの交換を可能にする１つ又は複数の流路を介し得る。いくつかの実施形態において、前記流体と前記ガスとの間の交換は、バルブを使用して追加的に制御され得る。前記交換を制御するのに使用する前記バルブは、例えば、逆止弁、又は微小電気機械式バルブを含み得る。
【０００６】
いくつかの実施形態において、前記貯留部の容積及び前記形成された空洞の容積は、概して同等であり得る。電極と誘電性フィルムは、前記空洞を形成する表面、前記流路、及び前記貯留部の少なくとも一部に配置され得る。所望の光学効果に応じて、流体の屈折率とガスの屈折率は異なり得り、いくつかの実施形態において、流体は、様々な吸光性染料成分、遮光染料成分、及び／又は鏡像異性特性を有する成分を追加的に含み得る。
【０００７】
本発明の別の態様において、可変焦点眼用装置は、１つ又は複数の内蔵電極と電気的に導通したエネルギー源を有し得る。エネルギー源は電流を発生させるために、又はいくつかの実施形態では、電界を生成させるために使用され得、この電界は電気活性ポリマーの形状を変更するために、又は、流体を変位させるために使用される、表面の接触角を変更するために、使用され得る。
【０００８】
本開示は、可変視覚部分を有する眼用レンズと、可変視覚部分を有する眼用レンズを形成するための装置と、その製造方法とを含む。更に、記述されている可変視覚部分を有する眼用レンズを組み込むための代替物が提示されている。例えば、いくつかの実施形態において、多重状態電気活性挿入物が、コンタクトレンズ本体の表面に配置された、又はコンタクトレンズ内部に部分的／全体的に封入された可変眼用装置として使用され得る。いくつかの代替的実施形態において、挿入物は、レンズ装置上又は、非限定的な意味で、可変眼内装置を含む、他のタイプの眼用装置上のレンズの一部として機能し得る。
【０００９】
一態様において、前方湾曲上部光学表面と前方湾曲底部光学表面とを含む前記可変焦点眼鏡装置の前方湾曲光学部と、後方湾曲上部光学表面と後方湾曲底部光学表面とを含む前記可変焦点眼鏡装置の後方湾曲光学部と、前記可変焦点眼鏡装置の前記前方湾曲光学部の前記前方湾曲底部光学表面と前記可変焦点眼鏡装置の前記後方湾曲光学部の前記後方湾曲上部光学表面とによって形成された空洞と、第１の屈折率を有する第１の流体と、第１の屈折率を有する前記流体の少なくとも一部分と接触し、電界を確立し得る電極を覆う誘電性フィルムと、第２の屈折率を有するガスであって、前記第１の屈折率と前記第２の屈折率とは異なる、ガスと、前記流体の体積より少ないか、又は同等の体積を収容するためにその容積を変更するように動作可能で、かつ前記形成された空洞と流体接続されている１つ又は複数の貯留領域とを含む、可変焦点眼用装置が提供される。
【００１０】
前記可変焦点眼用装置は、前記電極と電気的に導通するエネルギー源を含み得、前記エネルギー源は、前記電界を確立し得る電流を提供し得る。
【００１１】
前記誘電性フィルムは、１つを超える電極を覆うことができる。
【００１２】
前記貯留部と前記形成された空洞との間の前記流体接続は、前記流体と前記ガスの交換を可能にする１つ又は複数の流路を介し得る。
【００１３】
前記可変焦点眼用装置は、前記流体の流れを制御する流体制御装置を含み得る。
【００１４】
前記流体制御装置は１つ又は複数の逆止弁を含み得る。
【００１５】
前記流体制御装置は、１つ又は複数の微小電気機械式バルブを含み得る。
【００１６】
前記貯留部の容積と前記形成された空洞の容積は概ね同等であり得る。
【００１７】
前記電極及び誘電性フィルムは、前記空洞を形成する前記表面と、前記貯留部とのうちの１つまたは両方の少なくとも一部に配置され得る。
【００１８】
前記誘電性フィルムは、前記空洞と前記貯留部との間の前記１つ又は複数の流路の少なくとも一部に配置され得る。
【００１９】
前記流体は、吸光性染料成分を含み得る。
【００２０】
前記流体は、遮光染料成分を含み得る。
【００２１】
前記流体は、鏡像異性特性を有する成分を含み得る。
【００２２】
前記可変焦点眼鏡装置は、封入眼用レンズを含み得る。
【００２３】
前記封入眼用レンズは、生体適合性ヒドロゲルで構成され得る。
【００２４】
前記後方湾曲要素の前記底部光学表面は、眼用レンズの前記前方湾曲部上に配置され得る。
【００２５】
前記後方湾曲要素の前記上部光学表面は、眼用レンズの前記後方湾曲部上に配置され得る。
【００２６】
前記貯留部、形成された前記空洞、又は前記流路のうちの１つ又は複数は、電流の影響下でその形状を変える、概して変形可能な材料によって形成され得る。
【００２７】
前記貯留部、形成された前記空洞、又は前記流路のうちの１つ又は複数の表面の少なくとも一部分は、電流の影響下で接触角特性を変更し得る。
【００２８】
前記貯留部、形成された前記空洞、又は前記流路のうちの１つ又は複数の少なくとも一部は、電界の影響下でその形状を変える、概して変形可能な材料で形成され得る。
【００２９】
電流の影響下でその形状を変え得る前記変形可能な材料の少なくとも一部分は、電気活性ポリマーを含み得る。
【図面の簡単な説明】
【００３０】
本発明の前述及び他の特徴及び利点は、添付図面に示されるような、本発明の好ましい実施態様の以下のより詳細な説明から明らかとなるであろう。
【図１】本発明の一態様に係る鋳型組み立て装置を示す。
【図２】離散可変視覚部分を有する眼用レンズの態様を示す。
【図３】眼用レンズ鋳型部分内に離散可変視覚部分を配置するための装置を示す。
【図４】本発明の一態様に係る方法の工程を示す。
【図５】本発明の一態様に係る方法の工程を示す。
【図６】本発明の一態様を実装するために使用され得るプロセッサを示す。
【図７】離散光学的状態のうちの１つの状態にある例示的な眼用エレメントを示す。
【図８】離散光学的状態のうちの別の状態にある例示的な眼用エレメントを示す。
【図９】エレメントの異なる活性領域が特定されている、例示的な眼用エレメントの側面図を示す。
【図１０】離散光学的状態のうちの１つの状態における例示的な眼用エレメントの側面図を示す。
【図１１】離散光学的状態のうちの別の状態における例示的な眼用エレメントの側面図を示す。
【図１２】離散光学的状態が入射光線をフィルター処理するか、又は遮光するように作用する、例示的な眼用エレメントを示す。
【図１３】離散光学的状態を有する複合エレメントから形成される例示的な眼用装置を示す。
【図１４】離散的に可変な視覚レンズの状態を変化させる例示的なメカニズムを示す。
【図１５】例示的なタイプの電気活性型ポンピングメカニズムを示す。
【発明を実施するための形態】
【００３１】
離散的に可変な光学部分を有する眼用レンズを製造する方法及び装置について説明する。加えて、眼用レンズに組み込まれた離散的に可変な光学部分を有する眼用レンズについて説明する。
【００３２】
以下の項では、本発明の実施形態の「発明を実施するための形態」が記載される。好ましい実施形態及び代替的実施形態の説明はいずれも、あくまで例示的な実施形態に過ぎないものであって、当業者にとって、変形、改変、及び変更が明らかとなりうることは理解される。したがって、例示的な実施形態は、基礎となる発明の範囲を限定するものではないと理解されるべきである。
【００３３】
用語解説
本発明を目的とする本説明及び特許請求の範囲において、以下の定義が適用される、様々な用語が使用され得る。
【００３４】
本明細書で使用するとき、「弓形」とは、弓形状のような曲線又は屈曲を指す。
【００３５】
本明細書で使用するとき、「同心環状部分」とは、共通の中心を有する、１つ又は複数の形成されたリング状又はらせん状の光学構造体を指す。例えば、眼用レンズの出力及び収差を変化させる回折レンズをもたらし得る、眼用レンズの光学領域内の一連のリング状部分である。
【００３６】
本明細書で使用するとき、「接触角」とは、油／生理食塩水溶液の境界面（液体メニスカス境界とも呼ばれる）がメニスカス壁と交わる角度を指す。線状のメニスカス壁の場合、接触角は、メニスカス壁と、液体メニスカス境界がメニスカス壁と接触する点で液体メニスカス境界に接する線との間の角度として測定される。湾曲メニスカス壁の場合、接触角は、メニスカス壁に接する線とそれらが接触する点で液体メニスカス境界との間の角度として測定される。
【００３７】
用語「離散的に可変な」とは、本明細書で使用されるとき、例えば、レンズの光学構造体の第１の状態から少なくとも第２の異なる状態への変化などの、光学品質の段階的な変化能力を指す。
【００３８】
用語「エレクトロウェティングマイクロ流体レンズ」は、本明細書で使用されるとき、比較的低電力が印加された電界を利用して、生理食塩水−誘電性液体とも称される点眼液の界面張力ひいては接触角を変更するか、又は電界の直接的な電気的制御を介して液体運動を誘発することによって、少量の１つ又は複数の点眼液を作動または操作する眼用レンズを指す。上記の作動または操作は可逆性が可能であり、従って、機械的構成要素を必要としない変倍レンズを提供するときに使用し得る。より具体的には、上記の生理食塩水／誘電液体（１つまたは複数）は、レンズの光学効果を意図された設計に従って変更するように機能し得る、特定の望ましい屈折率などの光学的特性を備える。光学効果は、例えば、光パワー、吸光、光散乱特性を含み得る。生理食塩水／誘電液体が、エレクトロウェティング方式の液体の一例であることは当業者には明らかであろう。エレクトロウェティング方式の液体は、例えば、水性生理食塩水構成要素又は非極性流体混合物を含み得る。本明細書で使用するとき、「エネルギー印加された」とは、電流を供給することが可能であるか、又は内部に蓄積される電気エネルギーを有することが可能である状態を指す。
【００３９】
「エネルギー」とは、本明細書で使用されるとき、仕事を行うための物理システムの能力を指す。本明細書で用いられている「エネルギー」の多くの例は、仕事を行う際の電気的作用を実行することができる、上記の能力に関連し得る。
【００４０】
「エネルギーハーベスタ」とは、本明細書で使用されるとき、環境からエネルギーを抽出し、それを電気的エネルギーに変換することができる装置を指す。
【００４１】
本明細書で使用するとき、「エネルギー源」とは、エネルギーを供給するか、又は生物医学的装置をエネルギー印加された状態にすることができる装置を指す。
【００４２】
本明細書で使用するとき、「レンズ」とは、放射線（例として、可視光等）の波長の所定の範囲に対して光学的に透過的である、前面と後面とを備えた物品を指す。レンズは、本質的に平坦である前面及び背面のうちの１つ若しくは両方、又は弓形の形状である前面及び背面のうちの１つ若しくは両方を含んでよい。例えば、レンズなる用語は、コンタクトレンズ、眼内レンズ、オーバーレイ・レンズ、眼球挿入物、光学挿入物、又は他の同様の、視力が矯正若しくは変更される装置か、又は視力を妨げることなく眼の生理機能が美容的に強調される（例えば、虹彩の色）装置を指し得る。
【００４３】
「レンズ空洞」とは、本明細書で使用されるとき、眼用レンズの前方湾曲画成面と後方湾曲画成面との間の空間を指す。いくつかの眼用レンズ、例えば、弓状液体メルニカスレンズにおいて、オイルと食塩水は、レンズ空洞空間に保持され得る。
【００４４】
「レンズ形成混合物」、又は「反応性混合物」、又は「ＲＭＭ」（反応性モノマー混合物）は、本明細書で使用されるとき、硬化及び架橋することができる、又は架橋して眼用レンズを形成することができる、モノマー、又はプレポリマー材料を指す。様々な実施形態は、ＵＶ遮断剤、染料、光開始剤、又は触媒、及びコンタクト若しくは眼内レンズ等の眼用レンズに望まれ得る他の添加剤などの１つ又は複数の添加剤を有するレンズ形成混合物を含むことができる。
【００４５】
「レンズ形成表面」とは、本明細書で使用されるとき、レンズを成形するために使用される表面を指す。任意のこのような表面は、光学品質表面仕上げを有することができる。光学品質表面仕上げとは、表面が十分に滑らかで、成形表面に接触しているレンズ形成材料の重合によって作られるレンズ表面が光学的に許容可能であるように形成されていることを示す。更に、レンズ形成表面は、レンズ表面に所望の光学特性を付与するのに必要な幾何学形状を有することができる。所望の光学特性としては、球面、非球面、及び円筒屈折力、波面収差補正、角膜トポグラフィ補正などに加えて、それらの任意の組み合わせが、限定することなく、挙げられる。最後に、レンズ形成表面は、特定のレンズ設計で必要とされる場合、反作用的な形状を有し得る。
【００４６】
「液体メニスカス境界」は、本明細書で使用するとき、生理食塩水溶液と油との間の１つ又は複数の弓形境界面を指す。例えば、この表面は、片面が凹状であり、他方の面が凸状である１つ又は複数のレンズを形成することができる。
【００４７】
「リチウムイオンセル」とは、本明細書で使用するとき、リチウムイオンがセルを通じて移動して電気的エネルギーを生成する、電気化学セルを指す。一般的に電池と称されるこの電気化学セルは、その典型的な形態において再印加されるか、又は再充電され得る。
【００４８】
「媒体挿入物」とは、本明細書で使用するとき、眼用レンズ内のエネルギー源を支持することができる成形可能、又は剛性の基材を指す。媒体挿入物はまた、１つ又は複数の可変視覚レンズを含んでもよい。
【００４９】
「メニスカス壁」とは、本明細書で使用するとき、メニスカス空洞内にあり、それに沿って液体メニスカス境界が移動する、前方湾曲レンズの内側の特定区域を指す。
【００５０】
「鋳型」とは、本明細書で使用されるとき、回析構造の物理的特性及び／又はレンズの形状設計を画定する際に役立つように形成され得る剛性又は半剛性の物体を指す。鋳型は、レンズの前方湾曲画定面又は後方湾曲画定面のうちの一方又は両方であってもよい。
【００５１】
「視覚ゾーン」とは、本明細書で使用するとき、レンズの着用者がそこを通して見る、レンズの領域を指す。例えば、眼用レンズの着用者がそこを通して見る眼用レンズ内の領域。
【００５２】
「出力」とは、本明細書で使用するとき、単位時間当たりに行われる仕事又は移送されるエネルギーを指す。
【００５３】
「再充電可能」又は「エネルギーを再印加可能」とは、本明細書で使用するとき、仕事を行うためのより高い能力を有する状態へと回復するための能力を指す。本明細書に記述されている多くの用途は、再確定された期間において、一定の速度で、電流を流す能力を回復するための能力に関連し得る。
【００５４】
「エネルギー再印加」又は「再充電」とは、本明細書で使用するとき、仕事を行うためのより高い能力を有する状態までエネルギー源を回復することを指す。本明細書に記述されている多くの用途は、再確定された期間において、一定の速度で電流を流す能力まで装置を回復させることに関連する。
【００５５】
「鋭角部」とは、本明細書で使用するとき、光学部品上の２つの事前に定義される流体の接触線の位置を包含するのに十分な、前方湾曲レンズ画定面又は後方湾曲レンズ画定面のいずれかの内表面の幾何学的特徴を指す。鋭角部は通常、内角よりむしろ外角である。流体の観点から、鋭角部は１８０°を超える角度であり得る。
【００５６】
「基材」とは、本明細書で使用するとき、その上部に他の実体が定置される又は形成されている物理的実体を指す。
【００５７】
「可変光学部品」とは、本明細書で使用するとき、例えば、レンズの光学構造などの光学品質を変更する能力を指す。
【００５８】
ここで図１を参照すると、埋め込まれた離散可変視覚部分１１１を有する眼用レンズ１００は、エネルギー源１０８，１０９、例えば、エネルギー貯蔵手段としての電気化学セル、又は電池、いくつかの実施形態では、眼用レンズが定置される環境からのエネルギー源を含む材料の封入、及び分離を含み得る。エネルギー源１０８、１０９は、可変視覚部分を活性化するために出力を提供し得る。
【００５９】
眼用レンズのための代表的な鋳型１００の図が、離散可変視覚部分１１１と共に示される。鋳型は、レンズ形成混合物の反応又は硬化の際に所望の形状の眼用レンズが製造されるように、レンズ形成混合物をその中に分配することができる、空洞１０５を有する形状１００を有し得る。いくつかの部分の鋳型と鋳型組立品１００は、１つを超える「鋳型部分」又は「鋳型片」１０１〜１０２から構成され得る。鋳型部分１０１〜１０２を組み合わせて、空洞１０５を鋳型部分１０１〜１０２間に形成し、その中にレンズを形成することができるようにすることができる。このような鋳型部分１０１〜１０２の組み合わせは、一時的であることが好ましい。レンズが形成されると、レンズを取り出すために鋳型部分１０１〜１０２を再び分離することができる。
【００６０】
少なくとも１つの鋳型部分１０１〜１０２は、その表面１０３〜１０４の少なくとも一部がレンズ形成用混合物と接触していて、レンズ形成用混合物の反応又は硬化の際に、表面１０３〜１０４が所望の形状及び形態を表面が接触しているレンズ部分にもたらすようになっている。少なくとも１つの他の鋳型部分１０１〜１０２についても同じである。
【００６１】
こうして、例えば、鋳型組立品１００は、２つの部分１０１〜１０２、すなわち雌型の凹部片（前側片）１０２と雄型の凸部片（後側片）１０１（それらの間に空洞が形成されている）から形成され得る。凹部表面１０４のレンズ形成用混合物と接触する部分は、鋳型組立品１００内に作製すべき眼用レンズの前側湾曲部の湾曲を有するとともに、十分に滑らかであり、凹部表面１０４と接触しているレンズ形成用混合物の重合によって形成される眼用レンズの表面が光学的に許容できるものとなるように形成されている。
【００６２】
前側鋳型片１０２は、また、円形の周辺縁部と一体でこれを囲む環状フランジを備えることができ、このフランジから、軸線に垂直でフランジ（不図示）から延びる平面内で延びている。
【００６３】
レンズ形成面は、光学品質表面仕上げを備える表面１０３〜１０４を含むことができ、光学品質表面仕上げとは、表面が十分に滑らかで、成型表面に接触しているレンズ形成材料の重合によって作られるレンズ面が光学的に許容可能であるように形成されていることを示す。更に、レンズ形成表面１０３〜１０４は、レンズ表面にいずれかの所望の光学特性を付与するのに必要な幾何学形状を有することができ、所望の光学特性としては、球面、非球面、及び円筒屈折力、波面収差補正、角膜トポグラフィ補正など、加えて、これらのいずれかの組み合わせが挙げられる。本発明の一態様によれば、光学特性は、離散可変視覚部分１１１と協働して機能して全体的な光学品質を提供し得る。
【００６４】
離散可変視覚部分は、レンズの１つ又は複数の光学特性の変化を提供し得る。いくつかの実施例はまた、レンズ内の液体を移動させて、レンズの光学品質を変更すること含み得る。非限定的な例により、離散可変視覚部分１１１の屈折力が、０．１〜２５ジオプターまで離散間隔で変化できることが好ましい。他の実施例は、例えば、より薄い離散可変視覚部分１１１を得るために、そのようなより小さい屈折力が選択される、より小さな屈折力の変化を含み得る。いくつかの好ましい実施例は、したがって、例えば、屈折力の変化における１〜４ジオプターの離散的変化が可能となり得る離散可変視覚部分１１１を含み得る。
【００６５】
離散可変視覚部分１１１は、非限定的な例として、絶縁体上での電気湿潤（「ＥＷＯＤ」）を含み得、ＥＷＯＤは、電界内に置かれたときに絶縁破壊に十分耐え得るいかなるフィルムをも含み得る。例えば、膜は、１００ナノメートル〜５０マイクロメートルの範囲の厚さを有し得る。より具体的には、好ましい実施例において、例えば、１０〜３０マイクロメートルの厚膜、又は例えば、１０〜３０ナノメートルの薄膜を含み得る。厚膜はまた、ナノ寸法絶縁体上での電気湿潤（「ＥＷＯＮＤ」）と称されることもある。
【００６６】
離散可変焦点距離レンズとしては、例えば、互いにほぼ平行であり、異なる光学指数を有する２種類の非混和性の液体を含む内部容積を、少なくとも部分的に画定する、２本の透明な境界線１１２Ａ、及び１１２Ｂが挙げられる。弾性要素は、これが液体の圧力の変化に反応して変形するように位置付けられる。液体の圧力は、一方又は両方液体にわたって投影された電界に反応して変化し得る。
【００６７】
離散可変レンズは、ある体積の１つ又は複数の液体を保持するための、液体含有セルを含む、離散可変電気湿潤マイクロ流体レンズを含み得る。１つ又は複数の液体は導電性であり得、１つ又は複数の液体は絶縁性であり得る。導電性の液体は典型的には水性の液体であり、絶縁液体は典型的には油性の液体、又は非極性流体混合物である。
【００６８】
レンズの焦点を合わせるために、ユーザーにより制御される調節装置が使用され得る。調節装置としては、非限定的な例として、電圧出力を増加又は低減させるための、信号を送信することが可能な電子装置、又は受動装置が挙げられ得る。いくつ実施例はまた、測定されるパラメーター、又はユーザー出力によって、自動装置を介してレンズの焦点を合わせるための自動調節装置を含み得る。ユーザー出力としては例えば、ワイヤレス装置によって制御されるスイッチが挙げられる。ワイヤレスは、高周波制御、磁気スイッチ、及びインダクタンススイッチの１つ又は複数を含み得る。ユーザ入力は、加えて、例えば、圧力センサ、瞬き検出器、光センサ、又は光コントロール等を介しても発生し得る。
【００６９】
離散可変視覚部分１１１を有するレンズは、レンズ内に定置される挿入物を含む場合があり、挿入物は、剛性の中央、柔軟なスカート設計を含んでよく、ここで離散可変視覚部分１１１を含む中央の剛性光学要素は大気、並びに各前方表面、及び後方表面において角膜表面と直接接触し、レンズ材料の柔軟なスカート部（典型的にはヒドロゲル材料）は剛性光学要素の周辺部に取り付けられ、剛性光学要素はまた、結果的に生じる眼用レンズにエネルギー、及び機能性を提供する媒体挿入物として機能する。
【００７０】
追加的な実施例は、ヒドロゲルマトリックス内に完全に封入された剛性のレンズ、又は形成可能なレンズ挿入物である、離散可変視覚部分１１１を含み得る。剛性レンズ挿入物であり得る離散可変視覚部分１１１は、例えば、微小射出成形法を使用して製造され得る。
【００７１】
微小射出成形物は、例えば、約６ｍｍ〜１０ｍｍの直径、約６ｍｍ〜１０ｍｍの前側表面半径、及び約６ｍｍ〜１０ｍｍの後側表面半径、約０．０５０ｍｍ〜０．５ｍｍの中心厚さを有するポリ（４−メチルペンテン−１−エンコポリマー樹脂を含み得る。代表的な実施形態は、約８．９ｍｍの直径、約７．９ｍｍの前側表面半径、約７．８ｍｍの後側表面半径、約０．１００ｍｍの中心厚さ、及び約０．０５０ｍｍ半径の縁部プロファイルの挿入物を含む。１つの代表的なマイクロ鋳造機は、Ｂａｔｔｅｎｆｉｅｌｄ  Ｉｎｃ．によって提供されるＭｉｃｒｏｓｙｓｔｅｍ  ５０  ４５３６ｋｇ（５トン）システムを含み得る。
【００７２】
離散可変視覚部分１１１挿入物は、眼用レンズを形成するために利用される鋳型部分１０１〜１０２内に定置され得る。鋳型部分１０１〜１０２材料は、例えば、ポリプロピレン、ポリスチレン、ポリエチレン、ポリメチルメタクリレート、及び変性ポリオレフィンのうちの１つ又は複数のポリオレフィンを含み得る。その他の鋳型は、セラミックス、ガラス、石英、プラスチック、又は金属材料を含み得る。
【００７３】
好ましい脂環式コポリマーは、２つの異なる脂環式ポリマーを含む。様々な等級の脂環式コポリマーは、約１０５℃〜１６０℃の範囲のガラス転移温度を有し得る。
【００７４】
いくつかの実施例において、鋳型には、ポリプロピレン、ポリエチレン、ポリスチレン、ポリ（メチルメタクリレート）、主鎖に脂環式部分を含有する変性ポリオレフィン、及び環状ポリオレフィンなどのポリマーを含まれ得る。このブレンドを、鋳型半片の一方又は両方の上で使用することができる。このブレンドを後方湾曲部上で使用して、前方湾曲部は脂環式コポリマーからなることが好ましい。
【００７５】
鋳型１００を作るいくつかの好ましい方法では、既知の技術による射出成型を利用するが、例えば、旋盤法、ダイヤモンド切削、又はレーザー切断を含む他の技術によって作られる鋳型を含むこともできる。
【００７６】
通常、レンズを、両方の鋳型部分１０１〜１０２の少なくとも１つの表面上に形成する。しかしながら、レンズの１つの表面は、鋳型部分１０１〜１０２から形成され得、レンズの別の表面は、旋盤方法、又は他の方法を使用して形成することができる。
【００７７】
レンズ
ここで図２を参照すると、離散可変視覚レンズ部分を有する眼用レンズの要素が、物品２００として例示される。第１の透明な境界線２０１と第２の透明な境界線２０２は、成型プロセスによって画成される。眼用レンズの本体内で、離散可変視覚構成要素は、構成要素２０３によって示されるように配置され得る。構成要素２０３は、挿入装置の形態をとり得る。
【００７８】
好ましいレンズ材料は、シリコーン含有成分を有する。「シリコーン含有成分」は、モノマー、マクロマー又はプレポリマー中に少なくとも１個の［−Ｓｉ−Ｏ−］単位を含む成分である。好ましくは、合計Ｓｉ及び結合Ｏは、シリコーン含有成分中に、当該シリコーン含有成分の総分子量の約２０重量％を超える、更に好ましくは３０重量％を超える量で存在する。有用なシリコーン含有成分は、好ましくは、アクリレート、メタクリレート、アクリルアミド、メタクリルアミド、ビニル、Ｎ−ビニルラクタム、Ｎ−ビニルアミド、及びスチリル官能基などの、重合性官能基を含む。
【００７９】
好適なシリコーン含有成分は、式Ｉ：
【化１】
2015524938.tif 000001
（式中、Ｒ１は、独立して、一価反応基、一価アルキル基、又は一価アリール基から選択され、前述のいずれかは、ヒドロキシ、アミノ、オキサ、カルボキシ、アルキルカルボキシ、アルコキシ、アミド、カルバメート、カーボネート、ハロゲン、又はこれらの組み合わせから選択される官能性を更に含み得、１〜１００  Ｓｉ−Ｏの反復単位を含む一価シロキサン鎖は、アルキル、ヒドロキシ、アミノ、オキサ、カルボキシ、アルキルカルボキシ、アルコキシ、アミド、カルバメート、ハロゲン、又はこれらの組み合わせから選択される官能性を更に含むことがあり、
式中、ｂ＝０〜５００であり、ｂが０以外のとき、ｂは、表示値と同等のモードを有する分配であると理解され、
少なくとも１つのＲ１は、一価の反応基を含み、いくつかの実施例では、１個と３個のＲ１との間は、一価の反応基を含む）の化合物を含む。
【００８０】
本明細書に使用されるとき、「一価反応性基」は、フリーラジカル及び／又はカチオン重合を受けることができる基である。フリーラジカル反応性基の非限定的な例としては、（メタ）アクリレート、スチリル、ビニル、ビニルエーテル、Ｃ１〜６アルキル（メタ）アクリレート、（メタ）アクリルアミド、Ｃ１〜６アルキル（メタ）アクリルアミド、Ｎ−ビニルラクタム、Ｎ−ビニルアミド、Ｃ２〜１２アルケニル、Ｃ２〜１２アルケニルフェニル、Ｃ２〜１２アルケニルナフチル、Ｃ２〜６アルケニルフェニルＣ１〜６アルキル、Ｏ−ビニルカルバメート、及びＯ−ビニルカーボネートが挙げられる。カチオン反応基の非限定例としては、ビニルエーテル又はエポキシド基及びこれらの混合物が挙げられる。一実施例では、フリーラジカル反応基には、（メタ）アクリレート、アクリルオキシ、（メタ）アクリルアミド、及びこれらの混合物が含まれる。
【００８１】
好適な一価アルキル基及びアリール基には、例えば、置換及び非置換のメチル、エチル、プロピル、ブチル、２−ヒドロキシプロピル、プロポキシプロピル、ポリエチレンオキシプロピル、これらの組み合わせ、及び同様物などの、非置換の一価Ｃ１〜Ｃ１６アルキル基、Ｃ６〜Ｃ１４アリール基が挙げられる。
【００８２】
１つの実施例において、ｂはゼロであり、１つのＲ１は一価の反応基であり、少なくとも３つのＲ１は、１〜１６個の炭素原子を有する一価のアルキル基から選択され、他の実施例においては、１〜６個の炭素原子を有する一価のアルキル基から選択される。本実施例のシリコーン成分の非限定的な実施例には、２−メチル−、２−ヒドロキシ−３−［３−［１，３，３，３−テトラメチル−１−［（トリメチルシリル）オキシ］ジシロキザニル］プロポキシ］プロピルエステル（「ＳｉＧＭＡ」）、
２−ヒドロキシ−３−メタクリルオキシプロピルオキシプロピル−トリ（トリメチルシロキシ）シラン、
３−メタクリルオキシプロピルトリス（トリメチルシロキシ）シラン（「ＴＲＩＳ」）、
３−メタクリルオキシプロピルビス（トリメチルシロキシ）メチルシラン、及び
３−メタクリルオキシプロピルペンタメチルジシロキサンが含まれる。
【００８３】
別の実施例において、ｂは２〜２０、３〜１５であるか又はいくつかの実施例においては、３〜１０であり、少なくとも１つの末端Ｒ１は一価の反応基を含み、残りのＲ１は１〜１６個の炭素原子を有する一価のアルキル基から選択され、別の実施例においては、１〜６個の炭素原子を有する一価のアルキル基から選択される。更に別の実施例では、ｂが３〜１５であり、１つの末端Ｒ１が一価反応性基を含み、他の末端Ｒ１が１〜６個の炭素原子を有する一価アルキル基を含み、残りのＲ１が１〜３個の炭素原子を有する一価アルキル基を含む。本実施例のシリコーン成分の非限定的な例には、（モノ−（２−ヒドロキシ−３−メタクリルオキシプロピル）−プロピルエーテル末端のポリジメチルシロキサン（４００〜１０００ＭＷ））（「ＯＨ−ｍＰＤＭＳ」）、モノメタクリルオキシプロピル末端のモノ−ｎ−ブチル末端のポリジメチルシロキサン（８００〜１０００ＭＷ）、（「ｍＰＤＭＳ」）が挙げられる。
【００８４】
別の実施例において、ｂは５〜４００、又は１０〜３００であり、両方の末端Ｒ１は、一価反応性基を含み、残りのＲ１は、独立して、炭素原子間のエーテル結合を有することもあり、かつハロゲンを更に含むこともある、１〜１８個の炭素原子を有する一価アルキル基から選択される。
【００８５】
一実施例では、シリコーンヒドロゲルレンズが望ましい場合、このレンズは、ポリマーが作製される反応性モノマー成分の総重量に基づき、少なくとも約２０重量％、好ましくは、約２０〜７０重量％のシリコーン含有成分を含む反応混合物から作製される。
【００８６】
別の実施例では、１〜４個のＲ１が、ビニルカーボネート又は次式：
【化２】
2015524938.tif 000002
（式中、ＹはＯ−、Ｓ−又はＮＨ−を示し、
Ｒは、水素又はメチルを意味し、ｄは１、２、３又は４、及びｑは０又は１である）のビニルカルバメートを含。
【００８７】
シリコーン含有ビニルカーボネート又はビニルカルバメートモノマーは、具体的には、１，３−ビス［４−（ビニルオキシカルボニルオキシ）ブト−１−イル］テトラメチル−ジシロキサン、３−（ビニルオキシカルボニルチオ）プロピル−［トリス（トリメチルシロキシ）シラン］、３−［トリス（トリメチルシロキシ）シリル］プロピルアリルカルバメート、３−［トリス（トリメチルシロキシ）シリル］プロピルビニルカルバメート、トリメチルシリルエチルビニルカーボネート、トリメチルシリルメチルビニルカーボネート、及び以下を含む。
【化３】
2015524938.tif 000003
【００８８】
約２００以下の弾性率を有するバイオ医療用デバイスが所望される場合、１個のＲ１のみが一価の反応性基を含むものとし、残りのＲ１基のうちの２個以下は、一価シロキサン基を含む。
【００８９】
別のクラスのシリコーン含有成分は、次式：
式ＩＶ〜ＶＩ
（＊Ｄ＊Ａ＊Ｄ＊Ｇ）ａ ＊Ｄ＊Ｄ＊Ｅ１；
Ｅ（＊Ｄ＊Ｇ＊Ｄ＊Ａ）ａ ＊Ｄ＊Ｇ＊Ｄ＊Ｅ１又は；
Ｅ（＊Ｄ＊Ａ＊Ｄ＊Ｇ）ａ ＊Ｄ＊Ａ＊Ｄ＊Ｅ１
（式中、
Ｄは、６〜３０個の炭素原子を有するアルキルジラジカル、アルキルシクロアルキルジラジカル、シクロアルキルジラジカル、アリールジラジカル、又はアルキルアリールジラジカルを示し、
Ｇは、炭素原子１〜４０個を有するアルキルジラジカル、シクロアルキルジラジカル、アルキルシクロアルキルジラジカル、アリールジラジカル、又はアルキルアリールジラジカルを示し、これは、主鎖中にエーテル、チオ、又はアミン結合を含有でき、
＊はウレタン又はウレイド結合を示し、
ａは、少なくとも１であり、
Ａは次式の二価ポリマーラジカルを示し、
【化４】
2015524938.tif 000004
Ｒ１１は独立してアルキル又は１〜１０個の炭素原子を有するフルオロ置換アルキル基を意味し、これには炭素原子間にエーテル結合を含んでよく、ｙは少なくとも１であり、ｐは４００〜１０，０００の部分重量を提供し、Ｅ及びＥ１はそれぞれ独立して次の式に示される重合性不飽和有機ラジカルを意味する。
【化５】
2015524938.tif 000005
式中、Ｒ１２は水素又はメチルであり、Ｒ１３は水素、１〜６個の炭素原子を有するアルキルラジカル又はａ−ＣＯ−Ｙ−Ｒ１５ラジカルで、Ｙは−Ｏ−、Ｙ−Ｓ−又は−ＮＨ−であり、Ｒ１４は１〜１２個の炭素原子を有する二価ラジカルであり、Ｘは−ＣＯ−又は−ＯＣＯ−を意味し、Ｚは−Ｏ−又は−ＮＨ−を意味し、Ａｒは６〜３０個の炭素原子を有する芳香族ラジカルを意味し、ｗは０〜６であり、ｘは０又は１であり、ｙは０又は１であり、ｚは０又は１である）のポリウレタンマクロマーを含む。
【００９０】
１つの好ましいシリコーン含有成分は、以下の式：
【化６】
2015524938.tif 000006
（式中、Ｒ１６は、イソホロンジイソシアネートのジラジカルなどのイソシアネート基除去後のジイソシアネートのジラジカルである）で示されるポリウレタンマクロマーである。別の好適なシリコーン含有マクロマーは、フルオロエーテル、ヒドロキシ末端ポリジメチルシロキサン、イソホロンジイソシアネート及びイソシアネートエチルメタクリレートの反応によって形成される式Ｘ（式中、ｘ＋ｙは１０〜３０の範囲の数である）の化合物である。
【化７】
2015524938.tif 000007
【００９１】
他の好適なシリコーン含有成分には、ポリシロキサン基、ポリアルキレンエーテル基、ジイソシアネート基、ポリフッ素化炭化水素基、ポリフッ素化エーテル基、及び多糖類基を含有するマクロマー、末端のジフルオロで置換された炭素原子に結合する水素原子を有し、極性のフッ素化グラフト基又は側基を有するポリシロキサン、エーテルを含有する親水性シロキサニルメタクリレート類、並びにポリエーテル基及びポリシロキサニル基を含有するシロキサニル結合及び架橋性モノマー類が含まれる。前述のポリシロキサンのいずれもまた、シリコーン含有成分として使用し得る。
【００９２】
プロセス
以下の方法の工程は、本発明の態様に従って実施してもよいプロセスの例として提供される。本方法の工程が示される順番は限定を意図するものではなく、他の順番を使用してもよいことが理解されよう。加えて、必ずしも全ての工程が必要とされず、追加の工程を含み得る。
【００９３】
ここで図４を参照すると、フローチャートは、本発明の一態様を実施するために使用され得る例示的な工程を示す。４０１において、離散可変視覚部分が鋳型部分内に定置される。離散可変視覚部分はまた、１つ又は複数の構成要素を含み得る。
【００９４】
離散可変視覚部分は、機械的な配置を介して鋳型部分内に定置され得る。機械的配置には、例えば、表面実装構成要素を配置するために業界で既知のもののような、ロボット又はその他のオートメーションが含まれ得る。離散可変視覚部分の人手による定置も想像される。したがって、任意の機械的定置、又はオートメーションが利用されてよく、これは鋳型部分に収容される反応性混合物の重合が、結果的に生じる眼用レンズ内の離散可変光学要素を含むように鋳造成形部分内にエネルギー源を有する離散可変視覚部分を定置するために有用である。
【００９５】
離散可変視覚部分は、鋳型部分または基板内に定置され得る。したがって、エネルギー源、及び１つ又は複数の構成要素がまた、基板／鋳型部分に取り付けられ、離散可変視覚部分と電気的に導通し得る。構成要素は、例えば、離散可変視覚部分に適用される出力を制御する回路を含み得る。加えて、構成要素は、１つ又は複数の光学特性を変更するために（例えば、第１の屈折力と第２の屈折力との間の状態変化）、離散可変視覚部分を作動させるための１つ又は複数の制御機構を含み得る。
【００９６】
プロセッサ装置、ＭＥＭＳ、ＮＥＭＳ、又はその他の構成要素が離散可変視覚部分内に定置され、エネルギー源と電気的に接触する。基板は、可撓性材料及び剛性材料のうちの一方、又は両方を含み得る。
【００９７】
４０２では、反応性モノマー混合物が鋳型部分内に堆積され得る。
【００９８】
４０３では、離散可変視覚部分は、第１の鋳型部分内で反応性混合物と接触するように位置付けられる。
【００９９】
４０４では、第１の鋳型部分を第２の鋳型部分に近接させて定置し、反応性モノマー混合物の少なくとも一部及び離散可変視覚部分を空洞内に備えたレンズ形成空洞を形成する。上述の通り、好ましい実施例は、やはり空洞内にあって、離散可変視覚部分と電気的に導通するエネルギー源、及び１つ又は複数の構成要素を含み、いくつかの実施例において、これらの構成要素の全てが離散可変視覚部分自体の中に収容され得る。
【０１００】
４０５では、空洞内の反応性モノマー混合物が重合される。重合は、例えば、化学線及び熱のいずれか又は両方への曝露させることによって達成され得る。４０６では、眼用レンズを構成する重合した材料に接着した、又はこれに封入された離散可変視覚部分とともに、眼用レンズが鋳型部分から取り除かれ得る。
【０１０１】
任意の既知のレンズ材料、又はそのようなレンズの製造に好適な材料から製造されるハード又はソフトコンタクトレンズを提供し得るが、好ましくは、本発明のレンズは、約０〜約９０パーセントの含水量を有する、ソフトコンタクトレンズである。更に好ましくは、レンズは、ヒドロキシ基、カルボキシル基、又はこれらの両方を含有するモノマーから作製されてもよく、又は、シロキサン、ヒドロゲル、シリコーンヒドロゲル、及びこれらの組み合わせなどのシリコーン含有ポリマーから製造され得る。レンズを形成するのに有用な材料は、重合開始剤等の添加剤に加えて、マクロマー、モノマー、及びこれらの組み合わせの混合物を反応させることによって、製造し得る。好適な材料は、シリコーンマクロマー及び親水性モノマーから製造されるシリコーンヒドロゲルを含むが、これらに限定されない。
【０１０２】
ここで図５を参照すると、５０１では、離散可変視覚部分は、上述の通り、眼用レンズ内に定置され得る。５０２では、離散可変視覚部分は、エネルギー源と電気的に導通するように定置される。電気的導通は、例えば、離散可変視覚部分に組み込まれた回路を介するか、又はレンズ材料に直接インク噴射された、又は他の方法で形成された通路を介して達成され得る。
【０１０３】
５０３では、電気エネルギーは、眼用レンズ内に組み込まれた離散可変視覚部分を通じて向けられ得る。このエネルギーは、例えば、誘電性フィルムの少なくとも一部の両端に電圧を持続できる電気回路を介して向けることができる。例えば、及び非限定的な意味で、ＥＷＯＤ機器が活性化され、ｄｌ／ｄｔが全体的に充電コンデンサのプロファイルに従う時、電流がＥＷＯＤ機器に流れ得る。いずれかの側の電圧レベルを（例えば、エネルギー印加により）シフトすることによって、コンデンサは効果的に充電され得る。コンデンサの充電は、指数関数的減衰において時間の経過とともに先細りになり得る初期の「高」電流を伴い得る。更に、コンデンサは完全に充電することがなく、可変視覚部分に重大な変化をもたらすほどではない極めて小さい（測定不可能）電流が常に流れ得る。
【０１０４】
反対に、離散可変光学部品は、エネルギー印加されると、レンズ５０４の少なくとも１つの光学特性を変化させ得る。
【０１０５】
装置
ここで図３を参照すると、自動装置３１０が、１つ又は複数の移送境界部３１１を備えるものとして例示される。それぞれ関連付けられている離散可変光学挿入物３１４を備えた多数の鋳型部分が、パレット３１３に収容され、移送境界部３１１に送られる。装置は、例えば、離散可変視覚挿入物３１４を離散的に定置する単一の境界部、又は離散可変視覚挿入物３１４を多数の鋳型部分に同時に（いくつかの実施例では各鋳型部分に）定置する多数の境界部（不図示）を含み得る。定置は、移送境界部３１１の垂直運動３１５を介して生じ得る。
【０１０６】
本発明の別の態様は、眼用レンズの本体がこれらの構成要素の周囲に成形される間に離散可変視覚挿入物３１４を支持する装置を含む。離散可変視覚挿入物３１４、及びエネルギー源は、レンズ鋳型内の保持点（不図示）に取り付けられ得る。保持点は、レンズ本体内に形成されるものと同じ種類の重合された材料で取り付けられてよい。他の実施例は、離散可変視覚挿入物３１４、及びエネルギー源が取り付けられ得る鋳型部分内のプレポリマー層を含む。
【０１０７】
ここで図６を参照すると、本発明の態様で使用し得るコントローラ６００が示されている。コントローラ６００はプロセッサ６１０を含むが、このプロセッサは、通信装置６２０に結合した１つ又は複数のプロセッサ構成要素を含み得る。コントローラ６００は、眼用レンズ内に定置されたエネルギー源にエネルギーを伝送するために使用し得る。
【０１０８】
コントローラは、通信チャネルを介してエネルギーを通信するように構成された通信装置に結合した１つ又は複数のプロセッサを含み得る。通信装置、離散可変光学挿入物の眼用レンズ内への定置、及び離散可変光学機器を操作するための命令の送信のうちの１つ又は複数を電気的に制御するために使用され得る。
【０１０９】
通信装置６２０を使用して、例えば、１つ又は複数のコントローラ装置又は製造機器構成要素と通信してもよい。
【０１１０】
プロセッサ６１０は、記憶装置６３０とも通信する。記憶装置６３０は、磁気記憶装置、光学式記憶装置、並びに／又はランダムアクセスメモリ（ＲＡＭ）装置及びリードオンリーメモリ（ＲＯＭ）装置等の半導体記憶装置を含む、任意の適切な情報記憶装置を備え得る。
【０１１１】
記憶機器６３０は、プロセッサ６１０を制御するためのプログラム６４０を記録し得る。プロセッサ６１０は、プログラム６４０の命令を実行し、それによって、本発明の一態様に従って作動する。例えば、プロセッサ６１０は、１つ又は複数のセンサと交信でき、離散可変光学挿入物の定置、処理装置の定置等を表す情報を受信し得る。記憶装置６３０はまた、１つ又は複数のデータベース６５０、６６０内の眼科関連データを記憶することもできる。データベース６５０、６６０は、離散可変光学レンズへの、及び離散可変光学レンズからのエネルギーを制御するための特定の制御論理を含み得る。
【０１１２】
誘電性離散可変光学レンズ上の電気湿潤
図７に進むと、例示的な離散可変光学レンズ７００が示されている。レンズは、濡れ性が異なり、好ましくは反対の、異なる２種類の流体を含み得る。例えば、第１の溶液は、塩の水溶液であることがある水性流体を含み得る。いくつかの実施例において、水性流体は、高効率の電気湿潤溶液であることが好ましい。高効率電気湿潤溶液と水性流体は、製品設計及び使用する材料によって、水、空気、又は光学領域に含まれる材料の屈折率と近似した屈折率を有し得る。この屈折率は、レンズ機器のハード部分を構成する材料の屈折率とは異なるものとする。
【０１１３】
引き続き図７を参照すると、レンズ機器のハード部分がレンズの様々な態様の境界を画成し得る。貯留部７１０、７７０は、レンズの視覚領域の外部で流体を収容し得る。レンズ構成要素７２０と７５０は、アクティブな光学的表面を有し、レンズ内に流体を収容するように作用し得る。空洞７４０は、前方レンズ片７２０と後方レンズ片７５０との間に存在し得る。
【０１１４】
前方表面及び後方表面と略同等の形状を有するレンズ片７２０は、これらの表面を通過する光の光線、たとえば、７３０の光路に変化を生じさせない。しかし、その前方表面と後方表面７５０が著しく異なると、光の光路に変化が生じ、場合によっては、線７６０及び７３０で示されるように、屈折力の変化に反映し得る。
【０１１５】
流体が貯留部７１０の中にあり、その流体が、空洞の表面７２０及び７５０を構成する材料と比べて著しく異なる屈折率を有する水性流体を含む場合、この２つのレンズ片は、流体が貯留部７１０の中にある時、空洞７４０を通過する光に対して光学的に関係がある。
【０１１６】
第２の貯留部７７０は、第２の流体を含み得る。例示的な意味において、この流体は、物品７１０及び７４０で示されている水性流体と比べて異なる特性を有し得る。この第２の流体は、オイルに似た流体であって、レンズ片７２０及び７５０と略同等の光波長を有する屈折率を持たせるために選択され得る。
【０１１７】
離散可変光学要素は、導電インターコネクトによって接続され得る電気的接続７８０及び７８５を有し得る。加えて、電圧（Ｖ１）が離散可変光学要素内の構成要素の両端に印加されるように電荷を付勢、制御、配電する構成要素７９０が含まれ得る。図７の場合、電圧（Ｖ１）は、例示的な水性流体が貯留部７１０と空洞７４０の中にあって、流体が安定した位置にある適切の状態を表す。
【０１１８】
図８に進むと、物品８００は、第２の状態図７の離散可変光学要素を示す。この場合、図８では貯留部８７０である貯留部の底部に示された流体は、光学片８５０及び８２０と一致しているか非常に近い屈折率を有するとして選択されたオイル状物質であると示された。接続部８８０と８８５を通じて離散可変光学要素に印加された電圧を有する第２の電圧状態（Ｖ２）として表し得る、物品８９０によって印加された電圧の変化のため、空洞８４０内にある流体は、貯留部８７０にある流体と同じであり得、貯留部８１０にある流体と同じでなくともよい。この結果、機器８３０に進み、光学要素８２０、空洞８４０、光学要素８５０を通過する光は、物品８６０としての構成要素から現れる時、殆ど変更され得ない。流体の特性にはいくつかの規範的記述がなされており、特定の流体が、水性又はオイル体として特定されているか、又は他の特性を有するとして特定されている。これらの特性は、例示的な目的に限って説明されており、多くの異なるタイプの流体が本発明の範囲内で機能すると選択し得ることが当業者には明らかであろう。
【０１１９】
ここで図９を参照すると、物品７００と８００の上面視断面図が示されている。レンズパワー構成要素は、その中に他の構成要素を封入するために用いられる１つ又は複数の材料を含み得る。構成要素の外部領域では、この封入材料は、物品９１０の周囲の領域の場合と同様に、単独で存在し得る。図９のレンズ構成要素の光学的にアクティブな部分に進むと、多くの異なるタイプの構成要素がある。
【０１２０】
９００に示される例示的なアニュラリングにおいて、２つの領域９２０と、領域９５０と９６０とで示される４つの異なる領域がある。この例において、領域９６０は、上記の上部貯留部を表し、領域９５０は、底部貯留部を表し得る。事実、これらの貯留部と領域９２０は、領域間の流体の流れのために開くと想像される。しかし、領域９５０と９６０の表面は、これらの領域の１つ又は複数において特定のタイプの流体の粘着に好都合になり得る界面活性剤、下地処理、又は表面処理を含む様々なタイプの処理が行われ得る。あるいは、領域９２０は、上記の電圧条件又は磁界をこれらの領域の表面全体に印加することを可能にする電極が存在する領域を表す。従って、電位が表面の両端に印加されると、絶縁体上の電気湿潤効果が保証され得る。特定の電位が印加された場合、表面は１つの流体には好都合であり得、異なる電位の場合は、他の流体が好都合であり得る。
【０１２１】
貯留領域９２０の容積が、上部及び底部レンズ面との間の空洞の容積と略同等になるように設計及び作製された場合、領域９２０の状態が、静電位の変化に伴い変化した場合、流体のうちの１つが領域９２０に引き付けられ、他方の流体が、はねつけられ得る。これらの力が生じ、流体が不混和性である時は、この結果、流体が入れ替わり得る。物品９３０と９４０は、流体の貯留領域９５０及び９６０からレンズ空洞への流れを可能にする流路を表す。各貯留部について２つの流路が示されているが、多くの変形が可能であり、本明細書に記述されている方法と整合性を有しることが明らかであろう。
【０１２２】
図１０に進むと、図７に示されている印加されたｘ電位状態はオペラント１０００であり得る。レンズパワー構成要素は、その中に他の構成要素を封入するために用いられる１つ又は複数の材料を含み得る。構成要素の外部領域では、この封入材料は、物品１０１０の周囲の領域の場合と同様に、単独で存在し得る。この場合、印加された電位は、電気湿潤特性が、表面を湿潤し、領域１０２０の容積を占有するには好都合な、貯留部１０５０内の流体と矛盾しないように、電極領域１０２０を変更し得る。これによって流体がレンズ空洞から領域１０５０に、更に領域１０２０に引き出される。同時に、同じ力が、典型的には領域１０６０を占有する流体を強制的に空洞領域に流し込み得る。物品１０３０と１０４０は、流体の貯留領域１０５０及び１０６０からレンズ空洞への流れを可能にする流路を表す。図７を参照して説明されているように、これによって離散可変光学要素は第１の光学的状態であるとする。
【０１２３】
物品１１００の図１１に進み、離散可変光学要素の第２の光学的状態が表されている。レンズパワー構成要素は、その中に他の構成要素を封入するために用いられる１つ又は複数の材料を含み得る。構成要素の外部領域では、この封入材料は、物品１１１０の周囲の領域の場合と同様に、単独で存在し得る。この場合、図８に示されるように、第２の電位状態がレンズ内で確立され得る。この実施例において、この第２の状態は、２つの流体が領域１１２０を占有するには好都合である場合とは逆である。この電位状態の変化した状況で、空洞領域からの流体は、物品１１３０で示されるように強制的に流路を通され、引き続き流れて領域１１２０と１１６０を占有する。同様に、図１０について考察された力と同じ力が、流体を強制的に領域１１２０から押し出して貯留領域１１５０に送り込み、その後、貯留領域１１５０から流路１１４０を通じて空洞に送り込む。このようにして、空洞を占有する流体は異なる屈折率を有し、これによって離散可変光学要素は、図に関する考察で説明された第２の光学的状態にあるものとする。
【０１２４】
絶縁体上の電気湿潤を使用して本明細書で説明されているような光学要素における光学的状態を制御する方法に関して数多くの実施例があるが、数多くの変更が、本発明と矛盾しない同様の効果をもたらすことが可能であることが当業者には明らかであろう。
【０１２５】
状態変化がフィルター効果である多重状態眼用装置
図１２に進むと、異なるタイプの光学効果、物品１２００が示されている。離散可変光学要素に上記で考察された変化を生じさせる方法及び機器態様は、本実施例において同様な効果を有し得る。しかし、遮光又はフィルター効果は、屈折力の変化ではなく、又は屈折力の変化に加えて、発生する可能性があり得る。例示的な意味において、２つのレンズ表面１２３０及び１２５０は、光線が光学機器の両端を進む時に取る経路に対して、光線が著しく変化されないように、様々な表面間で著しく異なる態様を有さないように簡略化して示されている。特定の吸光性構成要素がレンズ内の２つのタイプ流体のうちの１つに存在する実施例において、その構成要素は、他の構成要素に対してフィルターをかけられた状態を表し得る。例示的な意味において、貯留部１２１０内に配置された流体は、着色された流体を表し、貯留部１２２０内の流体は、無着色の流体であり得る。適切な電位状態を印加すると、例えば、電気的コンタクト１２８０と１２８５を通じたヨウ素１２９０の作動により、着色流体が空洞１２４０に押し込まれ、その結果、第２の電位状態で決まる他の状態に対してフィルターをかけられた状態又は遮光された状態をもたらす。
【０１２６】
このタイプのフィルタリングの性質は、数多くの可能性に相当し得る。例えば、広範な可視スペクトルにわたって光を散乱、吸収、又はブロックするように染料を選択し得る。この結果、レンズ機器を横断して進む可視または不可視波長の相当な部分の強度を低減し得る。他の実施例において、染料は、レンズ機器を通過して進行する光の周波数の特定の帯域を吸収し得る。いくつかの実施例において、染料は、図７から図１１までで考察されているタイプのレンズ内の流体にも使用し得る。他の実施例において、使用する染料は、鏡像異性特性を有し得る。本明細書で記述されているレンズにおける流体のうちの１つ又は複数に存在し得る異なるタイプの材料を使用する数多くの実施例が存在するであろう。
【０１２７】
ここで、図１３の物品１３００に進む。本明細書で示されているレンズの組み合わせを作製し得る。図に示されるように、内部表面と外部表面が、光学要素を通過する光の屈折力を変えないように形成し得る、図１２で説明されているタイプの光学要素と、図７と図８に関連して説明されているタイプの光学要素があり得る。更に、代替的設計において、光学要素は、レンズの屈折力を変更し得る第２の部分と連動して所望の機能を実行することが可能である。
【０１２８】
離散可変光学要素と遮光又はフィルター効果光学要素１３００が示されている。この実施例において、可変光学要素と遮光光学要素のそれぞれに使用する液体用の２個の貯留部が１３２０と１３１０に示されている。機能は、前述の通り、品目１３６０と１４０によって印加される電圧の変化により得る。しかし、光学的変化は、両方の光学的要素において異なる時間に発生し得るか、又は所望により、殆ど同時又は同時に発生し得る。両方の光学的要素が電圧を異なる時間に又は異なる信号で変化することを所望する実施例において、１３５０、１３５５、１３３０、１３３５に示されるように異なる接点を使用し得る。しかし、これらが連動して作用することが所望され、１セットのコンタクトのみを必要とされる場合がある。
【０１２９】
離散可変光学レンズの電気活性ポンピング
ここで図１４を参照すると、離散可変光学レンズの状態に変化を生じる異なる例示的メカニズム１４００が示されている。このタイプのメカニズムにおいて、誘電体上の電気湿潤効果を利用して、流体が、部分的または全体的に貯蔵領域から供給、及び貯蔵領域へ供給され得る。貯蔵領域９２０の外辺部には、電気湿潤表面と形状とを含め得る。電位が電気湿潤表面上で変化すると、パッド１４２０上に着座した状態で表示されている品目１４４０によって現れる流体の滴が１４４２で示されるように消える場合がある。１４４２において、流体の滴が消え、垂直方向に広がってパッド１４１０と相互作用して、引き付けられる。パッドに印加され得る電極電位のコントローラがパッド上で電位を循環させると、流体の滴が１つの領域から別の領域へ移送又は送られ得る。流体がレンズ空洞領域内に送られると、前項で考察された場合と同様に離散可変光学レンズの光学特性を変化させ得る。
【０１３０】
パッド１４３０上の第２の水滴形状１４４１も、パッド上の電極電位の循環によって同様に移動され得る。結局は、流体の滴はパッド１４３０からパッド１４２０に移動され、その後で、パッド１４１０へ移動され得る。単一の流体をこのようにして使用し得るが、流体が不足すると、レンズ要素とは異なる屈折率を画成し得る。この後、上記のポンプメカニズムを使用して流体を空洞に送り込むと、レンズ要素の屈折率が一致し、光学効果を変化させ得る。例えば、液体が貯留部内にある時に光学要素を満たすガスの屈折率のため。
【０１３１】
２つの流体を同様な方法で使用し得る。この場合、供給メカニズムは同時に作用し、１つの流体は、その貯蔵位置に送られ、他の流体は、その貯蔵位置へ送られる。これらの実施例において、９２０と表示されている２つの領域のうちの１つを使用して第１の液体を貯蔵でき、もう１つの９２０と表示されている領域を使用して第２の液体を貯蔵し得る。例えば、レンズ機器が物品９００であるレンズ機器の内部形状は、この場合、別の形状を有し得る。例えば、各領域９２０の端面の１つには、その領域に関連付けられた特定の流体を貯蔵するための一定タイプの空洞を設けるためのプラスチック形状が存在し得る。
【０１３２】
供給メカニズムを生じさせる誘電体上の電気湿潤効果を使用するので、可変（この場合、２つの状態）レンズ機器を形成する際に消費されるエネルギーに関連した効果があり得る。供給用に使用されるパッドは、電位が印加されない場合、その領域内で流体を跳ねつけるように形成され得るので、レンズ機器９００が、その状態のうちの１つに配置された時、パッドがそれに近接した流体移動に対してバリヤを形成する２つの貯蔵領域のうちの少なくとも１つが存在し得る。したがって、いくつかの他の実施例の可変レンズとは異なり、レンズ機器が１つの状態から別の状態に変わらない時は、付勢機器内に貯蔵されたエネルギーの消費が非常に制限され得る。
【０１３３】
更に別のタイプの電気活性型ポンピングメカニズム、品目１５００が図１５に示されている。このタイプのメカニズムにおいて、図１５に示される領域９２０の少なくとも一部は、電気活性ポリマーから成るメンブレンまたは材料で構成される。いくつかのメカニズムにおいて、電気活性ポリマー材料１５３０は、新しい形状１５３１によって示されるように電極電位が印加されると膨張するように作製され得る。この結果、メンブレン層１５２０が、例えば、１５２１で示されるように異なる位置に移動する。流体が入った空間１５１０の容積は、断面積１５１１から明らかなように減少する。説明を分かりやすくするために、変形は、断面における垂直空間を埋めるための材料の単純な変形として説明されている。別の実施例では、メンブレン層１５２０、１５２１は電荷変化が印加されると電気活性ポリマーに生じ得る捩じり変形又は弓状変形によって移動され得る。メンブレン層の効果及び貯蔵領域の容積の変化は、このような実施例において同様又は同等である。
【０１３４】
膨張が発生すると、第２のタイプの流体が、レンズ機器の光学的に活性な空洞内に流れ込み、第１の流体を空洞から押し出して、第２の貯蔵位置９２０に流れ込ませる。この領域が、第２のタイプの流体を撥ねつける表面を有するように形成された場合、メンブレン１５２０、１５２１上の膨張する電気活性ポリマー材料１５３０、１５３１の圧力が、第１の流体が、それにもかかわらず貯蔵領域を占有するように働く。メンブレン１５２０、１５２１の歪みが逆になった場合（つまり、歪んでない状態に戻る）、流体は初期の構成体に戻るように強いられ得る。
【０１３５】
電気活性材料１５３０、１５３１、及びメンブレン１５２０、１５２１の類似の電気活性的組み合わせを有する２つの領域９２０を使用して、別のタイプの２つの状態を生じ得ることが当業者には明らかであろう。２つの領域が互いに逆に作用するように作製される場合、同じような能動流体タイプの切り替えを発生し得る。このタイプの機器と、２つの異なる流体、又はガス状又は減圧された第２の流体と同等物で構成される単一の流体と相互作用するコーティングとによって、多くの異なるレンズが形成し得ることも明らかであろう。これら２つの流体、又は流体状態と非流体状態は、前述の屈折率効果、又はフィルター的役割が変化し得る。上記の機器と、２つの異なる流体、又はガス状又は減圧された第２の流体同等物で構成される単一の流体と相互作用するコーティングとの組み合わせによって、多くの異なるレンズが形成し得ることが本明細書で記述されている。ガス状流体の限定されない例は、アルゴン、窒素、酸素、及びネオンのうちの１つ又は複数を含む。更に、このようなガス状流体の組み合わせは、限定されない例として、窒素、酸素、及び所望により他のガスを含むガス組み合わせを含む。周囲空気に存在する他のガスは、気相として許容し得る。
【０１３６】
電気活性ポリマー及び電気活性ポリマー材料は本明細書で説明されており、このような電気活性ポリマー及び電気活性ポリマー材料の限定されない例として、ポリフッ化ビニリデンを含有するフィルム、ポリ（アクリル酸）基電気活性ヒドロゲルフィルム、電極結合カーボンナノチューブのうちの１つ又は複数が挙げられる。
【０１３７】
誘電体フィルム及び誘電体が、ここで記述される。非限定的な例としては、離散可変視覚部分で使用される誘電体膜又は誘電体は、本明細書に記載される本発明に適切な特性を有する。誘電体は、誘電体として、単独で、又は一緒に機能する、１つ又は複数の材料層を含み得る。複数の層を使用して、単一の誘電体よりも優れた誘電性能を達成することができる。
【０１３８】
誘電体は、離散可変視覚部分について所望される無欠陥の絶縁層の厚さを、例えば、約０．１〜１０ミクロメートルの間で許容し得る。欠陥は、誘電体を通じた電気的及び／又は化学的接触を可能にする誘電体内の穴として当業者には既知のピンホールを指し得る。誘電体は、所与の厚さで、例えば誘電体が１００ボルト以上に耐え得るなどの、破壊電圧に関する要件を満たし得る。
【０１３９】
誘電体は、曲面、円錐形、球形、及び複雑な３次元表面（例えば曲面又は非平面表面）に製造することが可能であり得る。ディップコーティング又はスピンコーティングの典型的な方法を使用することができ、又は他の方法を採用することができる。
【０１４０】
誘電体は、可変視覚部分内の化学物質、例えば、生理食塩水、オイル、溶剤、酸、及び塩基による損傷に耐え得る。誘電体は、赤外線、紫外線、及び可視光による損傷に対して抵抗し得る。望ましくない損傷としては、本明細書に記載のパラメーター、例えば絶縁破壊電圧及び光の透過を低下させるものを挙げることができる。誘電体は、イオンの浸透に対して抵抗し得る。誘電体は、特定の範囲内で表面エネルギーを有し、電気湿潤システム中の液体に作用し得る。誘電体は、例えば、接着促進層の使用により、その下にある電極及び／又は基材に接着し得る。誘電体は、低汚染、低表面欠陥、コンフォーマルコーティング、及び低表面粗さを可能にするプロセスを使用して製造され得る。
【０１４１】
誘電体は、システムの電気的作動に適合した比誘電率と誘電率を有し得る。例えば、いくつかの絶縁ポリマーには典型的である約２．０〜３．０の低誘電率は、所与の電極領域のキャパシタンスを低減することと、電気湿潤の活性化電圧を低下することとの間の好適な折衷物として利用し得る。比誘電率がより高いか、又はより低い誘電体は、キャパシタンスと活性化電圧を相応に変化させることによって使用し得る。
【０１４２】
誘電体は、例えば、１０１６オームメートル以上の高い固有抵抗を有し、そのため、高電圧が印加されても微小電流が流れることができる。電極上で実現されると、誘電体の抵抗は１ギガよりはるかに大きく、例えば、約１００ギガオームになり得る。このような抵抗は、典型的には、誘電体の両端に５０Ｖが印加された時に５００ｐＡの電流しか可能にしない。
【０１４３】
誘電体は、光学機器に求められる品質、例えば、高い透過率（＞９９％）、低い色合い、可視スペクトルにおける低い曇り度、低い分散（アッベ数３４〜５７）、特定の範囲内（１．４〜１．７）の屈折率を有し得る。
【０１４４】
例えば、非限定的な誘電性材料としては、１つ又は複数のＰａｒｙｌｅｎｅ−Ｃ、Ｐａｒｙｌｅｎｅ−ＨＴ、Ｓｉｌｉｃｏｎ  Ｄｉｏｘｉｄｅ、Ｓｉｌｉｃｏｎ  Ｎｉｔｒｉｄｅ及びＴｅｆｌｏｎ  ＡＦが挙げられる。
【０１４５】
電極又はパッドは、エレクトロウェティング、誘電効果を実現するための電位を印加するとして本明細書で記述されている。電極は一般に、電極として単独又は一緒に機能する１つ又は複数の材料を含む。
【０１４６】
電極は、おそらくは接着プロモーター（例えば、メタクリルオキシプロピルトリメトキシシラン）により、その下にある基材、誘電体コーティング、又はシステム内の他の物品に接着され得る。電極は、有益な天然の酸素を形成し、又は有益な酸素層を形成するよう処理され得る。電極は、透明、実質的に透明、又は不透明であってもよく、高い光学的透過率と小さな反射率を備える。電極は、既知の加工処理方法でパターン化又はエッチングされ得る。例えば、電極は、フォトリソグラフィーパターニング及び／又はリフトオフプロセスを使用して、蒸発、スパッタリング、又は電気メッキされ得る。
【０１４７】
電極は、例えば、所与の幾何学的構成における抵抗の要件を満たすため、本明細書に記述される電気システムに使用するのに好適な抵抗を有するよう設計され得る。例示的なゴールド電極は、約２．４４×１０−８オームメートルの固有抵抗を有し得、それに伴い、電極抵抗は約１オームよりはるかに小さい。更にはるかに大きい電極抵抗、例えば、メガオーム又はギガオームでも、システム内のキャパシタンスを充電するのに十分な電流が流れることが可能であれば許容され得る。
【０１４８】
電極又はパッドは、インジウムスズ酸化物（ＩＴＯ）、金、ステンレス鋼、クロム、アルミニウムのうちの１つ又は複数から製造され得る。これは網羅的なリストではないことが理解されよう。
【０１４９】
離散可変視覚部分は、印加された電圧で制御し得、例えば、電圧を本明細書に記述されている電極印加して、同じように本明細書に記述されている誘電体の両端に電界を生じさせ得る。電圧は、図７、８、１２、１３にそれぞれ示される構成要素７９０、８９０、１２９０、１３６０、１４０を介して印加し得る。１つの実施例において、直流（ＤＣ）バイアスを印加し得る。所望の光応答を生じるために使用する電圧は、いくつかのパラメーターに依存する。例えば、１つの実施例において、誘電体の比誘電率と厚さを考慮して２ジオプターの変化を実現するためには５０ボルトが必要とされ得る。例示的な実施例において、誘電体の比誘電率と厚さの変化を推定して、光パワーの２ジオプターの変化を実現するためには２０ボルトが必要とされ得る。したがって、システム使用される典型的な電圧は、２０〜５０ボルトであり得るが、１ボルトから１００ボルト以上まで広範囲の整数値電圧を含み得る。
【０１５０】
１つの実施例において、交流（ＡＣ）を印加し得る。ＡＣパルシング及び他の波形を使用して電極を駆動し得る。駆動波形は、光学応答時間、電流消費、流体力学、静電破壊、及び他の効果と関連付け得ることが当業者には理解されよう。ＤＣバイアスに関係して記述されている同等の電圧値がＡＣパルシングに使用し得る。
【０１５１】
第２の流体は、本明細書において、任意のオイル状流体として記述されており、非極性流体混合物又は溶媒状流体を有し得る。オイルは、眼鏡機器の電気湿潤に有用であり得る。オイル又はオイル状の流体は、１つ又は複数の構成要素、つまり、オイル構成要素の混合物を含み得る。オイル又はオイル状流体は、低い粘性率、例えば、２５℃で２ｍＰａ以下、好ましくは、２５℃で１ｍＰａ以下の粘性率を有し得る。オイル又はオイル状流体は、低い極性、を有し得る。このことは、オイル又はオイル状流体は、極性成分又は汚染物質を実質的に含まないことを意味する。更に、このことは、オイル又はオイル状流体は、ＤＣモード電気湿潤には好ましい微量の溶存水をほとんど含まないことを意味する。ＡＣモード電気湿潤の場合、必要条件は幾分か緩くなる。
【０１５２】
オイル又はオイル状流体は、（生理食塩水の周囲の）電気湿潤誘電体を非常に小さいオイル−誘電体接触角で湿潤し得る。改善された湿潤（つまり、小さい接触角）は、接触角ヒステリシスの低減と、より予測可能で、信頼性のある性能をもたらし得る。
【０１５３】
オイル又はオイル状流体は、機器に使用される生理食塩水とは実質的に異なる屈折率、例えば、屈折率の０．０１０（単位なし）以上の差を有し得る。記述されている屈折率差の関連する波長は、５８９．２９ｎｍにおけるナトリウムＤ線（つまり、「ｎ＿ｓｕｂ＿Ｄ」）の波長である。オイルの屈折率は、生理食塩水の屈折率よりも大きいことが好ましい。
【０１５４】
オイル又はオイル状流体は、生理食塩水と略同等の比重を有し得る。例えば、比重の違いは、０．００３（単位なし）又はそれ以下であることが好ましい。比重は、密度がより濃いか又は薄いオイル上構成成分を選択及び混合することによって修正し得る。好ましいオイルの配合処方は、１．００より若干大きい比重を有する。
【０１５５】
オイル又はオイル状流体の構成成分は、全体的に生体適合性であり、目に対して軽い刺激性又は刺激性のないオイルが好ましい。オイル又はオイル状流体は、機器の性能に実質的に悪影響を及ぼさない添加物を含有し得る。具体的な添加物としては、染料、ＵＶブロッカー、ヒンダードアミン光安定剤、抗菌剤、抗酸化剤、レオロジー調節剤、界面活性剤、希釈剤、凝固点降下剤等が含まれる。
【０１５６】
オイル配合処方のいくつかの好ましい、非限定的な実施例は下記の通りである。
実施例１：ｐｈｅｎｙｌｔｒｉｍｅｔｈｙｌ  ｇｅｒｍａｎｅ  ４８．０％（ｗ／ｗ）、ＳＩＰ．６８２７（Ｇｅｌｅｓｔ）５１．５％、１−ペンタノール０．５％、及び
実施例２：１−ブロモベンダン５２．４％（ｗ／ｗ）及びデカメチルテトラシロキサン４７．６％（ｗ／ｗ）
【０１５７】
ここで生理食塩水について説明する。生理食塩水は、電気湿潤眼用装置を補助し得る。生理食塩水は、１つ又は複数の構成成分、例えば構成成分の混合物を含み得る。生理食塩水の第１の構成成分は、純水（例えば、脱イオン、逆浸透）であることが好ましい。生理食塩水の第２の構成成分は、導電性を高め得る、イオン化可能な構成要素で、例えば、無機塩である。
【０１５８】
生理食塩水は、低い粘性率、例えば、２５℃で２ｍＰａ以下、好ましくは２５℃で１ｍＰ以下を有し得る。生理食塩水は、高い純度を有し得り、このことは、生理食塩水は、油相に移行する極性成分を殆ど含有していないことを意味する。これは、ＤＣ動作モードの電気湿潤にとって重要である。ＡＣモードの電気湿潤の場合、生理食塩水が高い純度を有するという必要条件は、幾分か緩い。
【０１５９】
生理食塩水は、機器に使用される他の流体とは実質的に異なる屈折率、例えば、屈折率の０．０１０（単位なし）以上の差を有し得る。記述されている屈折率差の関連する波長は、５８９．２９ｎｍにおけるナトリウムＤ線（つまり、「ｎ＿ｓｕｂ＿Ｄ」）の波長である。生理食塩水は、オイル状流体を使用する場合、オイル状流体より低い屈折率を有することが好ましい。
【０１６０】
生理食塩水は、本姓最初に記述されている油相と実質的に同じ比重を有し得る。例えば、比重の違いは、０．００３（単位なし）又はそれ以下であることが好ましい。比重は、水とイオン成分を慎重に選択及び混合することによって変更し得る。好ましい生理食塩水の配合処方は、１．００より若干大きい比重を有する。
【０１６１】
生理食塩水の構成成分は、できる限り、生体適合性であることが好ましい。好ましい生理食塩水は、目に対する刺激が軽いか、刺激がないものである。好ましい生理食塩水は、人間の涙と略同等のモル浸透圧濃度、例えば、３００〜５００ｍＯｓｍ／ｋｇを有する。更に、生理食塩水は、機器の性能に実質的に悪影響を及ぼさない添加物を含有し得る。具体的な添加物としては、染料、ＵＶブロッカー、ヒンダードアミン光安定剤、抗菌剤、抗酸化剤、レオロジー調節剤、界面活性剤、希釈剤、凝固点降下剤等が含まれる。
【０１６２】
生理食塩水配合処方のいくつかの好ましい、非限定的な実施例は下記の通りである。
実施例１：塩化カリウム０．１％（ｗ／ｗ）、及び脱イオン水９９．９％、
実施例２：塩化カルシウム１．０％（ｗ／ｗ）、脱イオン水９８．５％、及び１−ペンタノール０．５％、及び
実施例３：塩化ナトリウム０．９％（ｗ／ｗ）、及び脱イオン水９９．１％。
【０１６３】
本発明は、眼用レンズ用の可変視覚挿入物を提供するための方法及び装置に関する。より具体的には、エネルギー源は、眼用レンズに内蔵された可変視覚挿入物に出力を供給する能力を有する。実施形態によっては、眼科用レンズはシリコーンヒドロゲルから鋳造成形される。
【０１６４】
本発明の様々な態様と実施例が、下記の番号を付した条項の完全に網羅されていないリストに記述されている。
第１条：可変焦点眼用装置であって、
前方湾曲上部光学表面と前方湾曲底部光学表面とを含む前記可変焦点眼用装置の前方湾曲光学部と、
後方湾曲上部光学表面と後方湾曲底部光学表面とを含む前記可変焦点眼用装置の後方湾曲光学部と、
前記可変焦点眼用装置の前記前方湾曲光学部の前記前方湾曲底部光学表面と前記可変焦点眼用装置の前記後方湾曲部の前記後方湾曲上部光学表面とによって形成された空洞と、
第１の屈折率を有する流体の少なくとも一部と接触し、電界に耐え得る電極を覆う誘電性フィルムと、
第２の屈折率を有するガスであって、前記第１の屈折率と前記第２の屈折率とは異なる、ガスと、
前記流体の体積より少ないか、又は同等の体積を収容するためにその容積を変更するように動作可能で、かつ前記形成された空洞と流体接続されている１つ又は複数の貯留領域とを含む、可変焦点眼用装置。
【０１６５】
第２条：前記電極と電気的に導通するエネルギー源を更に含み、前記エネルギー源が前記電界に耐え得る電流を供給し得る、第１条に記載の可変焦点眼用装置。
【０１６６】
第３条：前記誘電性フィルムが１つを超える電極を覆う、第１条に記載の可変焦点眼用装置。
【０１６７】
第４条：前記貯留部と前記形成された空洞との間の前記流体接続が、前記流体と前記ガスの交換を可能にする１つ又は複数の流路を介する、第１条に記載の可変焦点眼用装置。
【０１６８】
第５条：前記流体の流れを制御する流体制御装置を更に含む、第４条に記載の可変焦点眼用装置。
【０１６９】
第６条：前記流体制御装置が１つ又は複数の逆止弁を含む、第５条に記載の可変焦点眼用装置。
【０１７０】
第７条：前記流体制御装置が１つ又は複数の微小電気機械式バルブを含む、第５条に記載の可変焦点眼用装置。
【０１７１】
第８条：前記貯留部の容積と前記形成された空洞の容積が概ね同等である、第１条に記載の可変焦点眼用装置。
【０１７２】
第９条：前記電極及び誘電性フィルムが、前記空洞と前記貯留部を形成する表面のうち１つ又は両方の少なくとも一部に配置される、第１条に記載の可変焦点眼用装置。
【０１７３】
第１０条：前記誘電性フィルムが、前記空洞と前記貯留部との間の前記１つ又は複数の流路の少なくとも一部に配置される、第４条に記載の可変焦点眼用装置。
【０１７４】
第１１条：前記流体が、吸光性染料成分を更に含む、第１条に記載の可変焦点眼用装置。
【０１７５】
第１２条：前記流体が、遮光染料成分を更に含む、第１条に記載の可変焦点眼用装置。
【０１７６】
第１３条：前記流体が、鏡像異性特性を有する成分を更に含む、第１条に記載の可変焦点眼用装置。
【０１７７】
第１４条：封入眼用レンズを更に含む、第１条に記載の可変焦点眼用装置。
【０１７８】
第１５条：前記封入眼用レンズが、生体適合性ヒドロゲルで構成される、第１４条に記載の可変焦点眼用装置。
【０１７９】
第１６条：前記後方湾曲要素の前記底部光学表面が、眼用レンズの前記前方湾曲部上に配置される、第１条に記載の可変焦点眼用装置。
【０１８０】
第１７条：前記後方湾曲要素の前記上部光学表面が、眼用レンズの前記後方湾曲部上に配置される、第１条に記載の可変焦点眼用装置。
【０１８１】
第１８条：前記貯留部、前記形成された空洞、又は前記流路のうちの１つ又は複数が、電流の影響下でその形状を変える、概して変形可能な材料で形成され得る、第４条に記載の可変焦点眼用装置。
【０１８２】
第１９条：前記貯留部、前記形成された空洞、又は前記流路のうちの１つ又は複数の表面の少なくとも一部分が、電流の影響下で接触角特性を変更し得る、第４条に記載の可変焦点眼用装置。
【０１８３】
第２０条：前記貯留部、前記形成された空洞、又は前記流路のうちの１つ又は複数の少なくとも一部が、電界の影響下でその形状を変える、概して変形可能な材料で形成され得る、第４条に記載の可変焦点眼用装置。
【０１８４】
第２１条：電流の影響下でその形状を変え得る前記変形可能な材料の少なくとも一部が、電気活性ポリマー材料を含む、第２０条に記載の可変焦点眼用装置。
【０１８５】
〔実施の態様〕
（１）  可変焦点眼用装置であって、
前方湾曲上部光学表面と前方湾曲底部光学表面とを含む前記可変焦点眼用装置の前方湾曲光学部と、
後方湾曲上部光学表面と後方湾曲底部光学表面とを含む前記可変焦点眼用装置の後方湾曲光学部と、
前記可変焦点眼用装置の前記前方湾曲光学部の前記前方湾曲底部光学表面と前記可変焦点眼用装置の前記後方湾曲部の前記後方湾曲上部光学表面とによって形成された空洞と、
第１の屈折率を有する流体と、前記第１の屈折率を有する前記流体の少なくとも一部と接触し、電界を確立し得る電極を覆う誘電性フィルムと、
第２の屈折率を有するガスであって、前記第１の屈折率と前記第２の屈折率は異なる、ガスと、
前記流体の体積より少ないか、又は同等の体積を収容するためにその容積を変更するように動作可能で、かつ前記形成された空洞と流体接続されている１つ又は複数の貯留領域とを含む、可変焦点眼用装置。
（２）  前記電極と電気的に導通するエネルギー源を更に含み、前記エネルギー源が前記電界を確立し得る電流を供給し得る、実施態様１に記載の可変焦点眼用装置。
（３）  前記誘電性フィルムが１つを超える電極を覆う、実施態様１又は２に記載の可変焦点眼用装置。
（４）  前記貯留部と前記形成された空洞との間の前記流体接続が、前記流体と前記ガスの交換を可能にする１つ又は複数の流路を介する、実施態様１〜３のいずれかに記載の可変焦点眼用装置。
（５）  前記流体の流れを制御する流体制御装置を更に含む、実施態様４に記載の可変焦点眼用装置。
【０１８６】
（６）  前記流体制御装置が１つ又は複数の逆止弁を含む、実施態様５に記載の可変焦点眼用装置。
（７）  前記流体制御装置が、１つ又は複数の微小電気機械式バルブを含む、実施態様５に記載の可変焦点眼用装置。
（８）  前記貯留部の前記容積と前記形成された空洞の容積が概ね同等である、実施態様１に記載の可変焦点眼用装置。
（９）  前記電極及び誘電性フィルムが、前記空洞を形成する前記表面と、前記貯留部とのうちの１つ又は両方の少なくとも一部に配置される、実施態様１に記載の可変焦点眼用装置。
（１０）  前記誘電性フィルムが、前記空洞と前記貯留部との間の前記１つ又は複数の流路の少なくとも一部に配置される、実施態様４に記載の可変焦点眼用装置。
【０１８７】
（１１）  前記流体が、吸光性染料成分を更に含む、実施態様１に記載の可変焦点眼用装置。
（１２）  前記流体が、遮光染料成分を更に含む、実施態様１に記載の可変焦点眼用装置。
（１３）  前記流体が、鏡像異性特性を有する成分を更に含む、実施態様１に記載の可変焦点眼用装置。
（１４）  封入眼用レンズを更に含む、実施態様１に記載の可変焦点眼用装置。
（１５）  前記封入眼用レンズが、生体適合性ヒドロゲルで構成される、実施態様１４に記載の可変焦点眼用装置。
【０１８８】
（１６）  前記後方湾曲要素の前記底部光学表面が、眼用レンズの前記前方湾曲部上に配置される、実施態様１に記載の可変焦点眼用装置。
（１７）  前記後方湾曲要素の前記上部光学表面が、眼用レンズの前記後方湾曲部上に配置される、実施態様１に記載の可変焦点眼用装置。
（１８）  前記貯留部、形成された前記空洞、又は前記流路のうちの１つ又は複数が、電流の影響下でその形状を変える、概して変形可能な材料で形成され得る、実施態様４に記載の可変焦点眼用装置。
（１９）  前記貯留部、形成された前記空洞、又は前記流路のうちの１つ又は複数の表面の少なくとも一部分が、電流の影響下で接触角特性を変更し得る、実施態様４に記載の可変焦点眼用装置。
（２０）  前記貯留部、形成された前記空洞、又は前記流路のうちの１つ又は複数の少なくとも一部が、電界の影響下でその形状を変える、概して変形可能な材料で形成され得る、実施態様４に記載の可変焦点眼用装置。
【０１８９】
（２１）  電流の影響下でその形状を変え得る前記変形可能な材料の少なくとも一部が、電気活性ポリマー材料を含む、実施態様２０に記載の可変焦点眼用装置。